(57)【特許請求の範囲】
【請求項１】
音響端子ユニットが防水膜に覆われた防水マイクロホンであって、前記音響端子ユニットと前記防水膜との間に前記防水膜の変形を規制する規制手段が設けられていることを特徴とする防水マイクロホン。
【請求項２】
前記規制手段が前記防水膜と平行に配置されたメッシュであることを特徴とする請求項１に記載した防水マイクロホン。
【発明の詳細な説明】
【０００１】
【発明の属する技術分野】
本発明は防水マイクロホンに係り、さらに詳しく言えば、防水性を維持したまま各種特性を向上できる防水マイクロホンに関するものである。
【０００２】
【従来の技術】
一般に、防水マイクロホンは、使用者が誤って水中に落下させることを想定して、音響端子ユニットが例えばプラスチックフィルム，ゴム等の防水膜で覆われているものが多い。
防水膜は、一定水圧が作用しても破断することなく、もとの形状に復元するような適宜な形状，厚みに設定されている。
【０００３】
【発明が解決しようとする課題】
この防水マイクロホンは、防水膜を透過した音波が音響端子ユニットに到達するようになっている。
したがって、防水マイクロホンの感度，周波数応答性等の各種特性を向上させるためには、防水膜を極力薄くすることが望ましい。
本発明は、このような従来の要望を満たすためになされたもので、その目的は、防水性を維持したまま各種特性が向上する防水マイクロホンを提供することにある。
【０００４】
【課題を解決するための手段】
前記目的を達成するために、本発明の請求項１に記載した発明は、音響端子ユニットが防水膜に覆われた防水マイクロホンであって、前記音響端子ユニットと前記防水膜との間に前記防水膜の変形を規制する規制手段が設けられていることを特徴としている。
この場合、規制手段としては、防水膜と平行に棒状部材，メッシュ等を配置する構造等が採用できる。そして、これらの棒状部材，メッシュ等は、防水膜が一定水圧により変形したときに防水膜と当接することにより、防水膜の変形を一定に規制するような適宜な位置に配置しておけばよい。
【０００５】
このような本発明の請求項１に記載した発明においては、防水膜の変形が規制手段により一定に規制されるため、使用者が誤って水中に落下させても防水膜が破断しないことになる。
したがって、請求項１に記載した発明においては、防水膜の形状，厚み等を任意に設定できることになり、これらにより前記目的が達成される。
【０００６】
また、請求項２に記載した発明は、前記規制手段が前記防水膜と平行に配置されたメッシュであることを特徴としている。
この請求項２に記載した発明においては、通常使用にあたってメッシュが音響インピーダンスの低い振動板として動作するため、各種特性を阻害しないことになる。
また、この防水マイクロホンは、防水膜がメッシュに密着することにより、多数の小振動板となって水中収音を行えることになる。
【０００７】
【発明の実施の形態】
以下、本発明の実施例を図面に基づいて説明する。
図１には、本発明に係る一実施例が示されている。本実施例における防水マイクロホン１０は、例えば水中エアロビクス等に使用されるヘッドセットに用いられるものである。
この防水マイクロホン１０は、図示しないヘッドセットのステムに連結されるケース１１と、ケース１１に収容される音響端子ユニット１２とを含んで構成されている。
音響端子ユニット１２は、ユニットホルダ１３およびユニットケース１４を介してケース１１に支持されているとともに、前部音響端子１５および後部音響端子１６がそれぞれ防水膜１７，１８に覆われている。
【０００８】
防水膜１７，１８は、厚み４μｍのＰＥＴ（ポリエチレンテレフタレート）により所定形状に形成されている。これらの防水膜１７，１８は、防水マイクロホン１０が所定深度まで没しても、水圧により変形して破断せず、かつ、指圧が解除されるともとの形状に復元するようになっている。
そして、音響端子ユニット１２と防水膜１７，１８との間には、防水膜１７，１８の変形を規制する規制手段２０が設けられている。
【０００９】
規制手段２０は、防水膜１７，１８と平行に配置されたステンレスメッシュ２１，２２とされている。
ステンレスメッシュ２１，２２は、例えば線径０．１ｍｍ，＃１００とされ、それぞれ防水膜１７，１８が一定の水圧で変形したときに当接するような適宜な位置に配置されている。
【００１０】
次に、防水マイクロホン１０の作用を説明する。
図２（Ａ）に示すように、防水マイクロホン１０は、通常の使用時、防水膜１７，１８がステンレスメッシュ２１，２２に対して平行状態となる。
この際、ステンレスメッシュ２１，２２は、音響インピーダンスの低い振動板として動作するため、防水マイクロホン１０の各種特性に影響を与えることは少ない。
【００１１】
一方、例えば使用者が防水マイクロホン１０を水中に落下させると、図２（Ｂ）に示すように、防水膜１７，１８が変形し、ステンレスメッシュ２１，２２に密着する。
したがって、防水膜１７，１８は、当該防水膜１７，１８に作用する水圧が増大しても、ステンレスメッシュ２１，２２により変形が規制され、破断する虞れはない。
なお、防水マイクロホン１０は、防水膜１７，１８がステンレスメッシュ２１，２２に密着すると、防水膜１７，１８が小面積に区画された多数の振動板となるため、水中収音も可能となる。
【００１２】
以上のような本実施例の防水マイクロホン１０によれば、防水膜１７，１８の変形が規制手段２０により一定に規制されるため、防水膜１７，１８の厚み，形状等を任意に設定しても、水圧による破断等が生じる虞れが少ない。
したがって、本実施例の防水マイクロホン１０によれば、従来の防水マイクロホンに比較して、感度，周波数応答性等の各種特性を向上できる。
【００１３】
また、規制手段２０がメッシュ２１，２２であるため、防水マイクロホン１０の通常使用にあたってはメッシュ２１，２２が音響インピーダンスの低い振動板として動作し、各種特性を阻害することはない。
そして、メッシュ２１，２２は、水中において防水膜１７，１８が密着することにより多数の小振動板となり、防水マイクロホン１０が水中収音を行える。
【００１４】
なお、本発明は前述した実施例に限定されるものではなく、本発明を達成できる範囲での改良，変形等は本発明に含まれるものである。
例えば、規制手段として例示したメッシュは、ステンレス以外の金属でもよく、あるいは合成樹脂等により適宜な弾性を有していてもよい。メッシュが弾性を有していれば、水中収音時の音質を改良できる。
また、規制手段としては、メッシュに限定されず、例えば棒状の適宜な部材を防水膜と平行に配置することにより防水膜の変形を規制する構造等を採用してもよい。
その他、前記実施例で示した防水膜，規制手段，メッシュ等の材質，形状，寸法，形態，数，配置個所等は本発明を達成できるものであれば任意であり、限定されない。
【００１５】
【発明の効果】
本発明の請求項１に記載した発明によれば、防水膜の形状，厚み等を任意に設定することにより、感度，周波数応答性等の各種特性を向上できる。
また、請求項２に記載した発明によれば、通常使用にあたって各種特性を阻害しないとともに、水中収音も可能となる。
【図面の簡単な説明】
【図１】本発明の実施例を示す断面図である。
【図２】支持部の作用を示す模式断面図である。
【符号の説明】
１０  水中マイクロホン
１２  音響端子ユニット
１７，１８  防水膜
２０  規制手段
２１，２２  メッシュ
【図１】
0003629084.tif 000002
【図２】
0003629084.tif 000003